(57)【要約】【課題】  着用者の視界を妨げないヒンジを備えた縁なしのアイウェア製品を提供する。【解決手段】  眼鏡またはサングラスといったアイウェア製品は、２つのレンズおよび２つの後方に延在するテンプル部材を含み、各々のテンプル部材は、それぞれのレンズの側部に形成された孔に与えられたヒンジによって、使用中の位置と非使用中の位置との間で動くように旋回可能に装着される。テンプル部材は、使用中の位置と非使用中の位置との間で動かすときに、１８０°旋回し、さらにヒンジの旋回軸はおおむね水平である。【選択図】        図１
2004280046.tif 000002
【特許請求の範囲】
【請求項１】
２つのレンズおよび２つの後方に延在するテンプル部材を含むアイウェア製品であって、各々の前記テンプル部材は、それぞれの前記レンズの側部に形成された孔に与えられたヒンジによって、使用中の位置と非使用中の位置との間で動くように旋回可能に装着される、アイウェア製品。
【請求項２】
前記ヒンジは、使用者がアイウェア製品を着用しているときに水平であるヒンジ軸のまわりにおける回転を与える、請求項１に記載のアイウェア製品。
【請求項３】
前記ヒンジは、前記ヒンジ領域にあるレンズの表面に実質的に垂直に延在するヒンジ軸のまわりにおける回転を与える、請求項１に記載のアイウェア製品。
【請求項４】
各々の前記テンプルは、前記使用中の位置と非使用中の位置との間で動かすときに、前記ヒンジのまわりを１８０°回転する、請求項１に記載のアイウェア製品。
【請求項５】
前記孔において前記ヒンジをその回転に対して固定する手段が与えられる、請求項１に記載のアイウェア製品。
【請求項６】
前記孔は、第１の円形部分および前記円形部分を前記レンズの端に接続する２つの傾斜した端を含み、前記ヒンジは装着部分を含み、その中心部分は前記孔の前記円形部分と直径が同じ円形断面であり、前記装着部分は、前記孔の傾斜表面と補完的な傾斜表面をさらに含み、それにより前記孔における前記装着部分の回転が防がれる、請求項１に記載のアイウェア製品。
【請求項７】
２つのレンズおよび２つの後方に延在するテンプル部材を含むアイウェア製品であって、各々の前記テンプル部材は、使用中の位置と非使用中の位置との間で動くように旋回可能に装着され、各々の前記テンプル部材は、前記使用中の位置と非使用中の位置との間で１８０°回転する、アイウェア製品。
【請求項８】
２つのレンズおよび２つの後方に延在するテンプル部材を含むアイウェア製品であって、各々の前記テンプル部材は、前記ヒンジ領域にあるレンズの表面に実質的に垂直に延在するヒンジ軸を規定するヒンジによって、使用中の位置と非使用中の位置との間で動くように旋回可能に装着される、アイウェア製品。
【発明の詳細な説明】
【技術分野】
【０００１】
この発明は、眼鏡、サングラス等といったアイウェア製品のためのヒンジに関し、特に、縁なし眼鏡等とともに使用し得るヒンジに関する。ここで、本明細書の残りの部分において、「眼鏡」という用語を便宜上およびわかりやすくするために用いるが、この発明は視力を矯正するための眼鏡に限定して解釈されるべきではなく、サングラスおよび保護アイウェアといった別の種類のアイウェアにも同様に適用できることに注目すべきである。
【背景技術】
【０００２】
従来、眼鏡はレンズのための縁と共に形成されている。この縁は、プラスチックといったいかなる好適に強い、好ましくは軽量の素材またはアルミニウムもしくはチタンといった強い軽金属から製造し得る。レンズを正確な相対的位置で保持することに加えて、縁はまた、眼鏡が着用者の鼻にのることができるようにする鼻に当たる部分を装着するのに、また、着用者の耳に掛かり、耳の上にのる、後方に延在するテンプルを装着するために用いられる。
【０００３】
周知のように、眼鏡のテンプルは通常、眼鏡をかけているときにおよそ平行に耳に掛かる、広げた状態の動作のまたは使用中の位置と、眼鏡をかけていないときの、折り畳んだ状態の非動作のまたは不使用の位置との間で可動である。折り畳んだ位置において、テンプルは一般的に、眼鏡レンズの後面の上になるように動かされる。この位置において、使用中でないときに、眼鏡の占めるスペースは最小であり、たとえば小さなケースに収納することができる。
【発明の開示】
【発明が解決しようとする課題】
【０００４】
動作の位置と非動作の位置との間でテンプルを動かすことができるようにするために、テンプルはヒンジ装着されている。眼鏡に縁が与えられている場合、各々の端部で縁から延在し、その縁にテンプルの端部がヒンジ構造を通して取付けられている突起が形成される。従来、ヒンジは眼鏡をかけているときに実質的に垂直に延在する回転軸とで形成され、またレンズの平面と実質的に平行であると考えることもできる（レンズは湾曲するため、レンズの平面は必然的に近似であることを条件とする）。
【０００５】
縁がレンズに与えられている場合、テンプルにヒンジ装着を与えることは困難ではない。しかしながら、いかなる縁もない眼鏡を形成することがますます好まれている。縁なし眼鏡は、美的理由および眼鏡の重さ軽減のためにますます好まれているが、縁がない場合、テンプルのヒンジ装着が問題になる。
【０００６】
縁なし眼鏡のテンプルのヒンジ装着に対する従来のアプローチは、レンズを通って延在する固定ピンを用いて、ヒンジ装着をレンズに直接取付けることである。このような構造では、ヒンジは縁を有する眼鏡と同じ態様で配置される、すなわち、眼鏡をかけているときにヒンジ軸は実質的に垂直である。縁なし眼鏡のテンプルのヒンジ装着に対するこの従来のアプローチの問題は、固定ピンがレンズを通り抜けなければならないということであり、いかなるレンズの破損の危険性も避けるために、ピンを、レンズの端から約５ｍｍ距離をおいてレンズを通って挿入することが多い。これは美的魅力がなく、また着用者が見通すことのできるレンズの領域を減じる。
【課題を解決するための手段】
【０００７】
この発明に従って、２つのレンズおよび２つの後方に延在するテンプル部材を含むアイウェア製品が提供され、各々の上記テンプル部材は、それぞれの上記レンズの側部に形成された孔に与えられたヒンジによって、使用中の位置と非使用中の位置との間で動くように旋回可能に装着される。
【０００８】
好ましい配置において、ヒンジは、使用者がアイウェア製品を着用しているときに水平であるヒンジ軸のまわりにおける回転を与え、それは、上記ヒンジ領域にあるレンズの表面に実質的に垂直に延在するヒンジ軸のまわりにおける回転を与える。
【０００９】
好ましくは、各々のテンプルは、上記使用中の位置と非使用中の位置との間で動かすときに、上記ヒンジのまわりを１８０°回転する。孔においてヒンジをその回転に対して固定する手段を与え得る。好ましくは、たとえば、孔は第１の円形部分およびその円形部分をレンズの端に接続する２つの傾斜した端を含み、ヒンジは装着部分を含み、その中心部分は孔の円形部分と直径が同じ円形断面であり、装着部分は、孔の傾斜表面と補完的な傾斜表面をさらに含み、それにより孔における装着部分の回転が防がれる。
【００１０】
別の広い局面から見ると、この発明では、２つのレンズおよび２つの後方に延在するテンプル部材を含むアイウェア製品が提供され、各々の上記テンプル部材は、使用中の位置と非使用中の位置との間で動くように旋回可能に装着され、各々の上記テンプル部材は、上記使用中の位置と非使用中の位置との間で１８０°回転する。
【００１１】
さらに広い局面から見ると、この発明ではまた、２つのレンズおよび２つの後方に延在するテンプル部材を含むアイウェア製品が提供され、各々の上記テンプル部材は、上記ヒンジ領域にあるレンズの表面に実質的に垂直に延在するヒンジ軸を規定するヒンジによって、使用中の位置と非使用中の位置との間で動くように旋回可能に装着される。ここでこの発明の実施例を、例という方法によって、添付の図面を参照して記載する。
【発明を実施するための最良の形態】
【００１２】
まず図１および２を参照して、１対の眼鏡は、ブリッジ部材３で接続された左レンズ１および右レンズ２ならびにレンズ１，２の外側の端から延在し、後方に延在して、着用者の耳に掛かり、耳にフックで引っ掛けて、従来の鼻に当たる部分（図示せず）と関連して適所に眼鏡を保持できるようにした左テンプル部材４および右テンプル部材５を含むことがわかるであろう。
【００１３】
２つのテンプル部材４，５は対称的で、同一であり、一方のテンプル部材のみが以下に記載され、他方のテンプル部材は同一であると理解されていることがわかるであろう。
【００１４】
左テンプル部材４は、レンズ１の側部に形成された切欠きのような孔に適合するヒンジ８を通して左レンズ１に直接固定される。ヒンジ８の構造を以下でより詳細に記載するが、図１および２から、ヒンジ８は、ヒンジが位置するところのレンズの表面から実質的に垂直に延在し、使用者が眼鏡をかけているときに実質的に水平面にあることになる回転軸Ｘ−Ｘを有することに注目すべきである。図１および２から見て取れるように、テンプルは、眼鏡が着用できる状態の、図１に示した動作の位置と、眼鏡を眼鏡ケースにしまってもよい状態の、図２に示した非動作の位置との間でヒンジ軸Ｘ−Ｘのまわりを旋回することが可能である。
【００１５】
なお、ヒンジは、いかなる別途のヒンジ装着構造も必要とせずに、レンズの側部に直接適合される。ヒンジを受けるための孔は、深さが僅か約３ｍｍである必要があり、ヒンジが占めるレンズの部分は、従来の縁なしヒンジ装着の構成よりも実質的に少ない。結果として、より美的魅力がありかつ着用者の視野がヒンジで覆い隠され得る範囲が最小になる
。
【００１６】
ヒンジ受け孔を図３でより詳細に示している。孔は鍵穴と僅かに類似しており、レンズの端に向かって開き、外部に傾斜する表面１０，１１を有する円形部分９とで形成されることがわかるであろう。図４の（ａ）から（ｃ）ではヒンジ８をより詳細に示す。
【００１７】
ヒンジ８は、装着本体１２およびヒンジ１３を含む一体化した構造として形成される。装着本体１２は、直径が孔の円形部分９の直径と等しく、レンズの厚さと等しい長さを有する中央円筒コア１４を含む。本体１２の一方端には直径を僅かに大きくしたヘッド１５があり、本体１２の他方端には一体化して形成されたヒンジ１３がある。コア１４の円周にはまた、孔の傾斜表面１０，１１と補完的な２つの傾斜表面１６，１７が設けられている。
【００１８】
したがって、ヒンジ８が孔においてしっかりと位置できることが理解されるであろう。孔内でヒンジ８が回転するのを防ぐために、中央コア１４を孔の円形部分９内で受け、ヒンジ８の表面１６，１７は、孔の部分として形成された表面１０，１１と係合する。コア１４の長さが孔が位置するところのレンズの厚さと等しいということのため、およびヘッド１５およびヒンジ１３は円形の孔９よりも広いため、ヒンジ部材の動きは完全に防がれる。
【００１９】
ヒンジ構造自体は、コア部材１４の端部に形成された第２の円形部材２１と平行であり、第２の円形部材から僅かに間隔をおいた第１の円形部材２０によって規定される。第１のおよび第２の円形部材２０，２１は接続部材２２で接続され、テンプルの端部を受けるための空間をその間に規定する。円形部材２０，２１およびテンプルの端部には、ねじ孔２３，２４が設けられ、固定ねじが、従来の態様で、ヒンジにおいてテンプルの端部を保持できるようにする。
【００２０】
この構造で、テンプルは、図１および２に示した位置に対応する回転の制限がある状態で、ヒンジ軸のまわりを１８０°回転することが可能である。これらの点を越えるテンプルの動きは、テンプルに形成され、接続部材２２に接触してさらなる動きを防ぐラグによって防がれる。
【００２１】
上記から、この発明では、少なくともその好まれる形態において、レンズに適合した別途のヒンジ装着を必要とせずに、レンズの端に直接適合できるヒンジ構造が提供される。ヒンジは１８０°の動きを可能にし、完全な機能性を与え、一方でヒンジが着用者の視野を妨げる範囲を最小にする。
【図面の簡単な説明】
【００２２】
【図１】この発明の実施例に従ってヒンジとで形成された１対の眼鏡の平面図であり、着用できる状態の動作の位置にあるテンプルを示す図である。
【図２】図１と同様の図であるが、非動作の位置のテンプルを示す図である。
【図３】１つのレンズの端の部分の斜視図であり、ヒンジ受け孔を示す図である。
【図４】（ａ）は、図３の孔に適合するようにされたヒンジの端面図であり、（ｂ）は、図３の孔に適合するようにされたヒンジの側面図であり、（ｃ）は、図３の孔に適合するようにされたヒンジの線Ａ−Ａに沿った断面図である。
【符号の説明】
【００２３】
１  左レンズ、２  右レンズ、４  左テンプル部材、５  右テンプル部材、８  ヒンジ、１０  外部に傾斜する表面、１２  装着本体、１３  ヒンジ、１４  中央円筒コア、１６  傾斜表面、２０  第１の円形部材、２１  第２の円形部材、２２  接続部材。
【図１】
2004280046.tif 000003
【図２】
2004280046.tif 000004
【図３】
2004280046.tif 000005
【図４】
2004280046.tif 000006